(57)【要約】【課題】３種類以上の点灯制御モードの切り替えが容易に行えて使い勝手のよい照明装置及び照明器具を提供する。【解決手段】照明装置Ａ１の制御部５は、選択操作入力受付部８から取り込んだ選択操作入力によって３種類の点灯制御モードのうちから使用者が選択した２種類の点灯制御モードを判別する。そして、使用者が操作スイッチＳＷを操作して所定時間内に外部電源ＡＣからの電源供給を断続する度に、制御部５では、選択操作入力で選択された２種類の点灯制御モード、すなわち、通常点灯制御モードと防犯用点灯制御モード又は通常点灯制御モードと連続点灯制御モード又は防犯用点灯制御モードと連続点灯制御モードを選択して制御動作を行う。【選択図】図１
2008243455.tif 000002
【特許請求の範囲】
【請求項１】
光源を点灯する点灯手段と、少なくとも３種類以上の点灯制御モードを有し各点灯制御モードに応じて点灯手段を制御する制御手段と、複数の点灯制御モードのうちから任意の２種類の点灯制御モードを選択するための選択操作入力を受け付ける選択操作入力受付手段とを備え、
制御手段は、選択操作入力受付手段で受け付けた選択操作入力によって選択された２種類の点灯制御モードの何れか一方の種類の点灯制御モードを採用して点灯手段を制御するとともに、外部電源から供給される電源電圧を所定時間内に断続する操作が行われる度に、点灯手段を制御するために採用する点灯制御モードを前記一方の種類から他方の種類へ切り替えることを特徴とする照明装置。
【請求項２】
前記選択操作入力受付手段は、３つ以上の操作位置を有するポジションスイッチからなることを特徴とする請求項１記載の照明装置。
【請求項３】
前記選択操作入力受付手段は、２種類の点灯制御モードを選択するための制御コマンドを含むワイヤレス信号を受信するワイヤレス信号受信部からなることを特徴とする請求項１又は２記載の照明装置。
【請求項４】
請求項１〜３の何れかに記載された照明装置と、当該照明装置並びに光源を保持する器具本体とを有することを特徴とする照明器具。
【発明の詳細な説明】
【技術分野】
【０００１】
本発明は、照明装置及び照明器具に関するものである。
【背景技術】
【０００２】
従来、３種類以上の点灯制御モードを有し、各点灯制御モードに応じて光源を点灯制御する照明装置として、図６に示すようなものが提案されている（例えば、特許文献１参照）。
【０００３】
この従来装置Ａは、操作スイッチＳＷを介して外部電源（商用交流電源）ＡＣから電源が供給されるものであって、外部電源ＡＣから供給される交流電源から所望の直流電源を作成する電源回路部１と、電源回路部１で作成された直流電源により光源Ｌを点灯する点灯回路部２と、検知エリア内における人の存否を検出する人センサ部３と、周囲照度を検出する明るさセンサ部４と、マイクロコンピュータからなり点灯回路部２を制御して光源Ｌを点灯制御する制御部５と、制御部５に対して種々の設定を行うための設定部６と、外部電源ＡＣからの電源供給が停止（停電）したことを検知する停電検知回路部７とを備えている。
【０００４】
制御部５は、明るさセンサ部４で検出する周囲照度が設定部６で設定されたしきい値以下になると点灯回路部２を制御して光源Ｌを定格出力よりも低い出力で点灯（調光点灯）させ、また、調光点灯中に人センサ部３で人の存在が検出されると点灯回路部２を制御して光源Ｌを定格出力で点灯（全点灯）させ、さらに、人センサ部３で人の存在が検出されなくなってから所定の点灯保持時間が経過したら点灯回路部２を制御して光源Ｌを再度調光点灯させる。以下、このような制御動作を通常点灯制御モードと呼ぶ。
【０００５】
また、制御部５には通常点灯制御モードの他に、人センサ部３や明るさセンサ部４の検出結果と無関係に点灯回路部２を制御して光源Ｌを連続点灯させる制御動作（以下、連続点灯制御モードと呼ぶ。）と、明るさセンサ部４の検出結果を無効とし人センサ部３による人の存在検出のみに応じて点灯回路部２を制御して光源Ｌを点灯させる制御動作（以下、動作点検用点灯制御モードと呼ぶ。）とを有している。
【０００６】
ここで、制御部５の制御動作を通常点灯制御モード、連続点灯制御モード、動作点検用点灯制御モードの３種類のうちから選択する方法について説明する。本従来装置Ａでは外部電源ＡＣからの給電状況を停電検知回路部７で検知しており、操作スイッチＳＷがオンからオフされた後に再度オンされるまでの時間（停電時間）が所定時間（例えば、０．２秒〜２秒）内に行われたか否かを、停電検知回路部７の検知結果に基づいて制御部５が判定し、所定時間内に行われた場合に点灯制御モードを順次切り替えるようにしている。
【０００７】
また、上述のようなセンサ付きの照明装置以外にも、例えば、リモコン送信機から送信するワイヤレス信号で複数の点灯制御モードが切り替えられる照明装置において、壁スイッチ（操作スイッチＳＷ）により所定時間内に外部電源ＡＣからの電源供給を断続することで点灯制御モードの切替を可能としたものも提案されている（例えば、特許文献２参照）。
【特許文献１】特開平１１−８７０７１号公報
【特許文献２】特開平７−１５３５７９号公報
【発明の開示】
【発明が解決しようとする課題】
【０００８】
ところで、上記従来例では操作スイッチＳＷにより所定時間内に外部電源ＡＣからの電源供給を断続することで３種類の点灯制御モードを順次切り替えているが、点灯制御モードの種類が増えるにつれて切り替えに手間がかかるという問題がある。しかも、点制御モードのなかには上記従来例における動作点検用点灯制御モードのように使用頻度が極めて低い種類のものがあり、このように使用頻度の低い種類の点灯制御モードを経由して切り替えることは非常に煩わしいという問題があった。
【０００９】
本発明は上記事情に鑑みて為されたものであり、その目的は、３種類以上の点灯制御モードの切り替えが容易に行えて使い勝手のよい照明装置及び照明器具を提供することにある。
【課題を解決するための手段】
【００１０】
請求項１の発明は、上記目的を達成するために、光源を点灯する点灯手段と、少なくとも３種類以上の点灯制御モードを有し各点灯制御モードに応じて点灯手段を制御する制御手段と、複数の点灯制御モードのうちから任意の２種類の点灯制御モードを選択するための選択操作入力を受け付ける選択操作入力受付手段とを備え、制御手段は、選択操作入力受付手段で受け付けた選択操作入力によって選択された２種類の点灯制御モードの何れか一方の種類の点灯制御モードを採用して点灯手段を制御するとともに、外部電源から供給される電源電圧を所定時間内に断続する操作が行われる度に、点灯手段を制御するために採用する点灯制御モードを前記一方の種類から他方の種類へ切り替えることを特徴とする。
【００１１】
請求項２の発明は、請求項１の発明において、前記選択操作入力受付手段は、３つ以上の操作位置を有するポジションスイッチからなることを特徴とする。
【００１２】
請求項３の発明は、請求項１又は２の発明において、前記選択操作入力受付手段は、２種類の点灯制御モードを選択するための制御コマンドを含むワイヤレス信号を受信するワイヤレス信号受信部からなることを特徴とする。
【００１３】
請求項４の発明は、上記目的を達成するために、請求項１〜３の何れかに記載された照明装置と、当該照明装置並びに光源を保持する器具本体とを有することを特徴とする。
【発明の効果】
【００１４】
請求項１，４の発明によれば、制御手段は、選択操作入力受付手段で受け付けた選択操作入力によって選択された２種類の点灯制御モードの何れか一方の種類の点灯制御モードを採用して点灯手段を制御するとともに、外部電源から供給される電源電圧を所定時間内に断続する操作が行われる度に、点灯手段を制御するために採用する点灯制御モードを前記一方の種類から他方の種類へ切り替えるので、例えば、相対的に使用頻度の高い２種類の点灯制御モードを予め選択しておき、外部電源から供給される電源電圧を所定時間内に断続する操作によってこれら２種類の点灯制御モードの切替を行うことができる。その結果、３種類以上の点灯制御モードの切り替えが容易に行えて使い勝手のよい照明装置及び照明器具を提供することができる。
【００１５】
請求項２の発明によれば、前記選択操作入力受付手段が３つ以上の操作位置を有するポジションスイッチからなるので、電源電圧を所定時間内に断続する操作で切り替えることができる２種類の点灯制御モードを容易に確認することができる。
【００１６】
請求項３の発明によれば、前記選択操作入力受付手段が２種類の点灯制御モードを選択するための制御コマンドを含むワイヤレス信号を受信するワイヤレス信号受信部からなるので、ワイヤレス信号によって離れた場所から２種類の点灯制御モードの選択を行うことができて使い勝手がさらに向上する。
【発明を実施するための最良の形態】
【００１７】
以下、図面を参照して本発明の実施形態を詳細に説明する。
【００１８】
（実施形態１）
図１は本実施形態の照明装置Ａ１の回路ブロック図であり、図２は本実施形態の照明器具Ｘの外観図である。
【００１９】
照明器具Ｘは、例えば、住宅の屋外壁面に取り付けられるものであって、図２に示すように扁平な円筒形に形成されている器具本体１００と、器具本体１００内に収納される照明装置Ａ１と、器具本体１００前面に設けられて電球型の光源Ｌが着脱自在に装着されるソケット１０１と、透光性材料によって略半球状に形成され器具本体１００前面に着脱自在に取り付けられるグローブ１０２とで構成される。
【００２０】
照明装置Ａ１は、図１に示すように選択操作入力受付部８を備えている点と、制御部５の点灯制御モードとして通常点灯制御モードと連続点灯制御モードの他に防犯用点灯制御モード（後述する）を有している点とを除けば、その他の構成は図６に示した従来例とほぼ共通である。よって、従来例と共通の構成要素には同一の符号を付して説明を省略する。
【００２１】
選択操作入力受付部８は、図３に示すように３つの操作位置Ｐ１，Ｐ２，Ｐ３の間で操作子８ａが直線的にスライド操作されるポジションスイッチＰＳからなり、操作子８ａが左端の操作位置Ｐ１に操作されていれば通常点灯制御モードと防犯用点灯制御モードの２種類を選択する選択操作入力を受け付けたことになり、操作子８ａが中央の操作位置Ｐ２に操作されていれば通常点灯制御モードと連続点灯制御モードの２種類を選択する選択操作入力を受け付けたことになり、操作子８ａが右端の操作位置Ｐ３に操作されていれば防犯用点灯制御モードと連続点灯制御モードの２種類を選択する選択操作入力を受け付けたことになる。そして、選択操作入力受付部８で受け付けた選択操作入力は制御部５に取り込まれる。
【００２２】
制御部５における点灯制御モードのうち、通常点灯制御モードと連続点灯制御モードについては従来例と共通であるから説明を省略し、防犯用点灯制御モードについてのみ説明する。防犯用点灯制御モードにおいて、制御部５は、明るさセンサ部４で検出される周囲照度にかかわらず、設定部６で設定された所定の継続時間（例えば、３０秒間）以上継続して人センサ部３により検知エリア内に人の存在が検出されたとき、前記継続時間の経過後に所定時間（例えば、１０秒間）だけ点灯回路部２を制御して光源Ｌを点滅させる。つまり、防犯用点灯制御モードでは住宅のまわりに不審者が居る場合に光源Ｌを点滅させて威嚇することができる。
【００２３】
制御部５は、選択操作入力受付部８から取り込んだ選択操作入力によって３種類の点灯制御モードのうちから使用者が選択した２種類の点灯制御モードを判別する。そして、従来例で説明したように使用者が操作スイッチＳＷを操作して所定時間内に外部電源ＡＣからの電源供給を断続する度に、制御部５では、選択操作入力で選択された２種類の点灯制御モード、すなわち、通常点灯制御モードと防犯用点灯制御モード又は通常点灯制御モードと連続点灯制御モード又は防犯用点灯制御モードと連続点灯制御モードを選択して制御動作を行う。
【００２４】
例えば、夜間の就寝中は防犯用点灯制御モードで使用し、それ以外は通常点灯制御モードで使用する場合、ポジションスイッチＰＳの操作子８ａを左端の操作位置Ｐ１に操作して通常点灯制御モードと防犯用点灯制御モードの２種類の点灯制御モードを選択する選択操作入力を選択操作入力受付部８に受け付けさせれば、住宅の屋内に設置されている壁スイッチ（操作スイッチＳＷ）を短時間（例えば、０．２秒〜２秒）にオンからオフ、さらにオフからオンすることで照明装置Ａ１の制御部５における点灯制御モードを、通常点灯制御モードと防犯用点灯制御モードとに簡単に切り替えることができる。特に、本実施形態のように照明装置Ａ１（照明器具Ｘ）が屋外に設置されており、屋内に設置された操作スイッチＳＷを操作して点灯制御モードを切り替える場合に特に有効である。
【００２５】
しかも、本実施形態では選択操作入力受付部８をポジションスイッチＰＳで構成しているから、ポジションスイッチＰＳの操作子８ａが何れの操作位置Ｐ１〜Ｐ３に操作されているかによって切替可能な２種類の点灯制御モードを容易に確認することができるという利点がある。
【００２６】
（実施形態２）
本実施形態の照明装置Ａ２の回路ブロック図を図４（ａ）に示す。但し、本実施形態の照明装置Ａ２は、ワイヤレス送信機Ｒから送信されるワイヤレス信号を受信するワイヤレス信号受信部９を選択操作入力受付部８の代わりに備えている点を除けば実施形態１と共通の構成を有している。従って、実施形態１と共通の構成要素には同一の符号を付して説明を省略する。
【００２７】
照明装置Ａ２に対してワイヤレス信号を送信するワイヤレス送信機Ｒは、図４（ｂ）に示すように赤外光を伝送媒体としたワイヤレス信号を送信するワイヤレス信号送信部２０と、マイクロコンピュータからなる送信機制御部２１と、３種類の点灯制御モードに対応した３つの選択スイッチ２２，２３，２４と、３つの操作位置Ｐ１，Ｐ２，Ｐ３の間で操作子２５ａが直線的にスライド操作されるポジションスイッチＰＳを有する点灯制御モード選択部２５とを備えている。また、ワイヤレス送信機Ｒは、図５の外観図に示すように扁平な矩形箱形のハウジング１１０を有し、ハウジング１１０の前面に各選択スイッチ２２〜２４の操作釦２２ａ，２３ａ，２４ａと、ポジションスイッチＰＳの操作子２５ａと、点灯制御モード選択部２５が具備する送信スイッチ（図示せず）の操作釦２５ｂとが露設されている。
【００２８】
送信機制御部２１は、選択スイッチ２２の操作釦２２ａが押操作されたときに防犯用点灯制御モードを選択する制御コマンドをワイヤレス信号送信部２０からワイヤレス信号で送信させ、選択スイッチ２３の操作釦２３ａが押操作されたときに通常点灯制御モードを選択する制御コマンドをワイヤレス信号送信部２０からワイヤレス信号で送信させ、選択スイッチ２４の操作釦２４ａが押操作されたときに連続点灯制御モードを選択する制御コマンドをワイヤレス信号送信部２０からワイヤレス信号で送信させる。
【００２９】
一方、照明装置Ａ２では、ワイヤレス送信機Ｒから送信されたワイヤレス信号をワイヤレス信号受信部９で受信すると、制御部５がワイヤレス信号で送られてきた制御コマンドに応じて、防犯用点灯制御モード、通常点灯制御モード、連続点灯制御モードの何れかの点灯制御モードを選択して点灯制御を行う。
【００３０】
また、送信機制御部２１では、操作子２５ａが左端の操作位置Ｐ１に操作されている状態で送信スイッチの操作釦２５ｂが押操作されれば通常点灯制御モードと防犯用点灯制御モードの２種類を選択するための制御コマンド（以下、第１選択コマンドと呼ぶ。）をワイヤレス信号送信部２０からワイヤレス信号で送信させ、操作子２５ａが中央の操作位置Ｐ２に操作されている状態で送信スイッチの操作釦２５ｂが押操作されれば通常点灯制御モードと連続点灯制御モードの２種類を選択するための制御コマンド（以下、第２選択コマンドと呼ぶ。）をワイヤレス信号送信部２０からワイヤレス信号で送信させ、操作子２５ａが右端の操作位置Ｐ３に操作されている状態で送信スイッチの操作釦２５ｂが押操作されれば防犯用点灯制御モードと連続点灯制御モードの２種類を選択するための制御コマンド（以下、第３選択コマンドと呼ぶ。）をワイヤレス信号送信部２０からワイヤレス信号で送信させる。
【００３１】
そして照明装置Ａ２では、ワイヤレス送信機Ｒから送信されたワイヤレス信号をワイヤレス信号受信部９で受信すれば、制御部５がワイヤレス信号で送られてきた第１〜第３選択コマンド、すなわち、３種類の点灯制御モードのうちから２種類の点灯制御モードを選択する選択操作入力をワイヤレス信号受信部９で受け付けたことになる。
【００３２】
制御部５は、ワイヤレス信号受信部９から取り込んだ選択操作入力（第１〜第３選択コマンド）によって３種類の点灯制御モードのうちから使用者が選択した２種類の点灯制御モードを判別する。そして、実施形態１と同様に使用者が操作スイッチＳＷを操作して所定時間内に外部電源ＡＣからの電源供給を断続する度に、制御部５では、第１〜第３選択コマンドで選択された２種類の点灯制御モード、すなわち、通常点灯制御モードと防犯用点灯制御モード又は通常点灯制御モードと連続点灯制御モード又は防犯用点灯制御モードと連続点灯制御モードを選択して制御動作を行う。
【００３３】
上述のように本実施形態によれば、選択操作入力受付手段として、ワイヤレス信号を受信するワイヤレス信号受信部９を照明装置Ａ２に備え、ワイヤレス送信機Ｒから送信されるワイヤレス信号をワイヤレス信号受信部９で受信することにより、３種類の点灯制御モードのうちから２種類の点灯制御モードを選択するための第１〜第３選択コマンド（選択操作入力）を受け付けるので、ワイヤレス信号によって離れた場所から２種類の点灯制御モードの選択を行うことができて使い勝手がさらに向上するという利点がある。
【図面の簡単な説明】
【００３４】
【図１】実施形態１の照明装置の回路ブロックである。
【図２】同上の照明器具を示し、（ａ）は側面図、（ｂ）は正面図である。
【図３】同上における選択操作入力受付部の外観図である。
【図４】実施形態２を示し、（ａ）は照明装置の回路ブロック図、（ｂ）はワイヤレス送信機の回路ブロック図である。
【図５】同上におけるワイヤレス送信機の外観図である。
【図６】従来の照明装置の回路ブロック図である。
【符号の説明】
【００３５】
Ａ１  照明装置
Ｌ  光源
２  点灯回路部
３  人センサ部
４  明るさセンサ部
５  制御部
７  停電検知回路部
【図１】
2008243455.tif 000003
【図２】
2008243455.tif 000004
【図３】
2008243455.tif 000005
【図４】
2008243455.tif 000006
【図５】
2008243455.tif 000007
【図６】
2008243455.tif 000008